(57)【要約】【課題】外部機器にコンテンツを送信しているときに、接続状態が解除されてコンテンツの送信が停止した場合、一定条件下にコンテンツの送信を再開するように制御する電子機器、制御方法及びプログラムを提供すること。【解決手段】外部機器に接続される外部インターフェイス１４と、コンテンツを再生処理する再生処理部２１と、外部インターフェイス１４に外部機器が接続されている状態において、再生処理部２１により再生処理されたコンテンツを外部機器に送信する制御部２２と、を備える。制御部２２は、再生処理部２１により再生処理を行っている際に、外部インターフェイス１４と外部機器の接続状態が解除されると、再生処理部２１による再生処理を停止し、所定時間以内に再び接続状態になった場合、再生処理部２１による再生処理を再開し、再生処理されたコンテンツを外部機器に送信する。【選択図】図３
2014090265.tif 000002
【特許請求の範囲】
【請求項１】
外部機器に接続される接続部と、
コンテンツを再生処理する再生処理部と、
前記接続部に前記外部機器が接続されている状態において、前記再生処理部により再生処理されたコンテンツを前記外部機器に送信する制御部と、を備え、
前記制御部は、前記再生処理部により再生処理を行っている際に、前記接続部と前記外部機器の接続状態が解除されると、前記再生処理部による再生処理を停止し、所定時間以内に再び接続状態になった場合、前記再生処理部による再生処理を再開し、再生処理されたコンテンツを前記外部機器に送信する電子機器。
【請求項２】
前記制御部は、前記再生処理部で再生処理しているコンテンツの種類に応じて、前記所定時間を変更する請求項１記載の電子機器。
【請求項３】
ディスプレイを備え、
前記制御部は、接続状態が解除されてから、又は接続状態が解除され前記再生処理部による再生処理を停止してから所定時間以内に再び接続状態にならなかった場合、前記ディスプレイに前記コンテンツの再生処理を停止した旨を表示する請求項１記載の電子機器。
【請求項４】
接続部が外部機器に接続されている状態において、再生処理部により再生処理されたコンテンツを前記外部機器に送信する第１送信工程と、
前記再生処理部により再生処理を行っている際に、前記接続部と前記外部機器の接続状態が解除されると、前記再生処理部による再生処理を停止し、所定時間以内に再び接続状態になった場合、前記再生処理部による再生処理を再開し、再生処理されたコンテンツを前記外部機器に送信する第２送信工程と、を備える制御方法。
【請求項５】
接続部が外部機器に接続されている状態において、再生処理部により再生処理されたコンテンツを前記外部機器に送信する第１送信工程と、
前記再生処理部により再生処理を行っている際に、前記接続部と前記外部機器の接続状態が解除されると、前記再生処理部による再生処理を停止し、所定時間以内に再び接続状態になった場合、前記再生処理部による再生処理を再開し、再生処理されたコンテンツを前記外部機器に送信する第２送信工程とをコンピュータに実行させるためのプログラム。
【発明の詳細な説明】
【技術分野】
【０００１】
本発明は、外部機器に接続される接続部を有する電子機器と、当該電子機器を制御する制御方法及びプログラムに関する。
【背景技術】
【０００２】
携帯端末等とテレビとを接続するためのインターフェイスとして、ＨＤＭＩ（登録商標）規格が存在する。
携帯端末等とテレビとが、ＨＤＭＩ規格を採用したインターフェイスで接続されている場合には、例えば、携帯端末等に保存されているコンテンツをテレビへ送信し、当該コンテンツをテレビで表示させることができる（例えば、特許文献１を参照）。
【０００３】
また、近年、ＨＤＭＩ規格をベースとしたＭＨＬ（登録商標）規格も存在している。
ＭＨＬとは、携帯端末向けの高速映像伝送用のインターフェイス規格である。ＭＨＬは、非圧縮なまま水平解像度が１０８０ｐで、３０ｆｐｓの動画データを３端子でテレビに伝送することができる。なお、実際には、ＭＨＬは、５端子を持つＵＳＢ（登録商標）コネクタを流用している。
【０００４】
また、携帯端末等とＰＣとをＵＳＢコネクタにより接続し、携帯端末等とＰＣとの間で相互にデータを送受信するシステムが知られている。
【先行技術文献】
【特許文献】
【０００５】
【特許文献１】特開２０１１−０９１６９９号公報
【発明の概要】
【発明が解決しようとする課題】
【０００６】
ところで、携帯端末等と、ＰＣ及びテレビ等の外部機器とをＨＤＭＩ等の規格に準拠したインターフェイスによって接続し、例えば、携帯端末から外部機器にデータを送信しているときに、誤って接続状態を解除（ケーブルを抜くこと）してしまい、データの送信を強制的に中断してしまうことがある。
【０００７】
本発明は、外部インターフェイスを利用して外部機器と接続されている状態において、外部機器にコンテンツを送信しているときに、接続状態が解除されてコンテンツの送信が停止した場合、一定条件下にコンテンツの送信を再開するように制御する電子機器、制御方法及びプログラムを提供することを目的とする。
【課題を解決するための手段】
【０００８】
本発明に係る電子機器は、外部機器に接続される接続部と、コンテンツを再生処理する再生処理部と、前記接続部に前記外部機器が接続されている状態において、前記再生処理部により再生処理されたコンテンツを前記外部機器に送信する制御部と、を備え、前記制御部は、前記再生処理部により再生処理を行っている際に、前記接続部と前記外部機器の接続状態が解除されると、前記再生処理部による再生処理を停止し、所定時間以内に再び接続状態になった場合、前記再生処理部による再生処理を再開し、再生処理されたコンテンツを前記外部機器に送信する構成である。
【０００９】
電子機器では、前記再生処理部で再生処理しているコンテンツの種類に応じて、前記所定時間を変更する構成でもよい。
【００１０】
電子機器では、ディスプレイを備え、前記制御部は、接続状態が解除されてから、又は接続状態が解除され前記再生処理部による再生処理を停止してから所定時間以内に再び接続状態にならなかった場合、前記ディスプレイに前記コンテンツの再生処理を停止した旨を表示する構成でもよい。
【００１１】
本発明に係る制御方法は、接続部が外部機器に接続されている状態において、再生処理部により再生処理されたコンテンツを前記外部機器に送信する第１送信工程と、前記再生処理部により再生処理を行っている際に、前記接続部と前記外部機器の接続状態が解除されると、前記再生処理部による再生処理を停止し、所定時間以内に再び接続状態になった場合、前記再生処理部による再生処理を再開し、再生処理されたコンテンツを前記外部機器に送信する第２送信工程と、を備える構成である。
【００１２】
本発明に係るプログラムは、接続部が外部機器に接続されている状態において、再生処理部により再生処理されたコンテンツを前記外部機器に送信する第１送信工程と、前記再生処理部により再生処理を行っている際に、前記接続部と前記外部機器の接続状態が解除されると、前記再生処理部による再生処理を停止し、所定時間以内に再び接続状態になった場合、前記再生処理部による再生処理を再開し、再生処理されたコンテンツを前記外部機器に送信する第２送信工程とをコンピュータに実行させるためのものである。
【発明の効果】
【００１３】
本発明によれば、外部インターフェイスを利用して外部機器と接続されている状態において、外部機器にコンテンツを送信しているときに、接続状態が解除されてコンテンツの送信が停止した場合、一定条件下にコンテンツの送信を再開するように制御することができる。
【図面の簡単な説明】
【００１４】
【図１】実施形態に係るスマートフォンの外観を示す斜視図である。
【図２】実施形態に係るスマートフォンの外観を示す背面図である。
【図３】スマートフォンの構成を示すブロック図である。
【図４】外部機器とスマートフォンがケーブルで接続されている様子を示す図である。
【図５】ケーブルの構成を示す図である。
【図６】スマートフォンのディスプレイに所定のメッセージが表示される様子を模式的に示す図である。
【図７】スマートフォンの動作についての説明に供するフローチャートである。
【発明を実施するための形態】
【００１５】
本発明を実施するための実施形態を、図面を参照しつつ詳細に説明する。以下では、電子機器の一例として、スマートフォンについて説明する。
【００１６】
図１及び図２を参照しながら、実施形態に係るスマートフォン１の外観について説明する。図１及び図２に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１７】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００１８】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスにより構成される。ディスプレイ２Ａは、文字、画像、記号又は図形等を表示する。
【００１９】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２０】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２１】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２２】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２３】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００２４】
例えば、ボタン３Ａ〜３Ｃは、ホームボタン、バックボタン又はメニューボタンである。例えば、ボタン３Ｄは、スマートフォン１のパワーＯＮ／ＯＦＦボタンである。ボタン３Ｄは、スリープ／スリープ解除ボタンを兼ねてもよい。例えば、ボタン３Ｅ及び３Ｆは、音量ボタンである。
【００２５】
照度センサ４は、照度を検出する。例えば、照度とは、光の強さ、明るさ、輝度等である。照度センサ４は、例えば、ディスプレイ２Ａの輝度の調整に用いられる。
【００２６】
近接センサ５は、近隣の物体の存在を非接触で検出する。近接センサ５は、例えば、タッチスクリーンディスプレイ２が顔に近付けられたことを検出する。
【００２７】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００２８】
カメラ１２は、フロントフェイス１Ａに面している物体を撮影するインカメラである。カメラ１３は、バックフェイス１Ｂに面している物体を撮影するアウトカメラである。
【００２９】
外部インターフェイス（接続部）１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｅｆｉｎｉｔｉｏｎ  Ｌｉｎｋ）、ライトピーク（サンダーボルト）、イヤホンマイクコネクタのような汎用的な端子であってもよい。外部インターフェイス１４は、Ｄｏｃｋコネクタのような専用に設計された端子でもよい。
【００３０】
本実施例に係るスマートフォン１は、外部インターフェイスを利用して外部機器と接続されている状態において、外部機器にコンテンツを送信しているときに、接続状態が解除されてコンテンツの送信が停止した場合、一定条件下にコンテンツの送信を再開するように制御する。以下に、具体的な構成について説明する。
【００３１】
スマートフォン１は、図３に示すように、外部インターフェイス１４と、再生処理部２１と、制御部２２とを備える。
外部インターフェイス１４は、所定の信号伝送用規格（例えば、映像信号及び／又は音声信号の伝送用規格）に準拠しており、外部機器に接続される。所定の信号伝送用規格とは、例えば、ＨＤＭＩ規格又はＭＨＬ規格等である。
【００３２】
本実施例では、図４（ａ）に示すように、外部機器であるテレビ１０１とスマートフォン１がケーブル１０２で相互に接続される利用形態（第１利用形態）と、図４（ｂ）に示すように、外部機器であるＰＣ２０１とスマートフォン１がケーブル２０２で相互に接続される利用形態（第２利用形態）を想定している。
【００３３】
第１利用形態では、スマートフォン１のディスプレイ２Ａよりも大画面で、スピーカから大きな音を出力することができるテレビ１０１の特徴を活かした利用形態が考えられる。例えば、スマートフォン１は、映画等のコンテンツをテレビ１０１に送信し、テレビ１０１で映像と音声を出力させて視聴する利用形態が考えられる。また、スマートフォン１は、ゲームアプリケーションによる映像と音声をテレビ１０１に送信して、テレビ１０１で当該映像と音声を出力させ、ディスプレイ２Ａにゲームアプリケーションを操作するＵＩを表示する利用形態が考えられる。
【００３４】
第２利用形態では、ＰＣ２０１に格納されているデータをスマートフォン１に送信したり、スマートフォン１に格納されているデータをＰＣ２０１に送信したりする利用形態が考えられる。
【００３５】
以下では、外部機器は、テレビ１０１であるとして説明する。テレビ１０１のインターフェイスとスマートフォン１の外部インターフェイス１４とは、同一の規格に準拠しているものとして説明するが、これに限られない。
【００３６】
例えば、テレビ１０１のインターフェイスは、ＨＤＭＩ規格に準拠し、スマートフォン１の外部インターフェイス１４は、ＭＨＬ規格に準拠していてもよい。このような構成の場合には、ケーブル１０２は、図５に示すように、ＨＤＭＩとＭＨＬを相互に変換するアダプタ１０２ａを備えており、一方の端子１０２ｂがＨＤＭＩ規格に対応してテレビ１０１に接続され、他方の端子１０２ｃがＭＨＬ規格に対応してスマートフォン１に接続される。
【００３７】
再生処理部２１は、コンテンツを再生処理する。具体的には、制御部２２は、ユーザの操作に応じて、コンテンツを管理しているアプリケーション（以下、コンテンツアプリケーションという。）を起動し、再生するコンテンツを選択する。再生処理部２１は、再生アプリケーションの指示に応じて、選択されたコンテンツに対してデコード処理等の再生処理を行う。なお、コンテンツとは、映像データと音声データから構成されているものを想定しているが、これに限られず、静止画像データ等であってもよい。スマートフォン１は、通常であれば、再生処理された映像をディスプレイ２Ａに表示し、音声をスピーカから出力する。
【００３８】
制御部２２は、外部インターフェイス１４に外部機器が接続されている状態において、再生処理部２１により再生処理されたコンテンツをテレビ１０１に送信する。
【００３９】
制御部２２は、再生処理部２１により再生処理を行っている際に、外部インターフェイス１４とテレビ１０１の接続状態が解除されると、再生処理部２１による再生処理を停止する。
【００４０】
また、制御部２２は、当該接続状態が解除されてから所定時間以内に再び接続状態になった場合、再生処理部２１による再生処理を再開し、再生処理されたコンテンツをテレビ１０１に送信する。
【００４１】
よって、スマートフォン１は、外部インターフェイス１４を利用してテレビ１０１と接続されている状態において、テレビ１０１にコンテンツを送信しているときに、ユーザの誤操作により接続状態が解除されてしまっても、所定時間以内に再び接続状態にされることを条件として、解除により途切れた箇所からコンテンツの送信を再開するので、ユーザに続けてコンテンツの視聴を楽しませることができる。
【００４２】
制御部２２は、再生処理部２１で再生処理しているコンテンツの種類に応じて、所定時間（ガードタイム）を変更する構成でもよい。
再生処理部２１は、コンテンツの種類に応じて、再生処理に係る負荷が異なり、消費電力が異なる場合がある。例えば、動画像データの再生処理は、静止画像データの再生処理に比べて、消費電力が高くなる。
【００４３】
制御部２２は、再生処理部２１で再生処理しているコンテンツが動画像データの場合には、所定時間をｔ１とし、再生処理部２１で再生処理しているコンテンツが静止画像データの場合には、所定時間をｔ２（ｔ１＜ｔ２）に変更する。
【００４４】
よって、制御部２２は、接続状態が解除されてから再び接続状態になるまでの時間を、コンテンツの種類に応じて変更するので、充電池の負担を軽減することができる。
【００４５】
スマートフォン１は、上述したようにディスプレイ２Ａを備えている。
制御部２２は、接続状態が解除されてから、又は接続状態が解除され再生処理部２１による再生処理を停止してから所定時間以内に再び接続状態にならなかった場合、ディスプレイ２Ａにコンテンツの再生処理を停止した旨を表示する構成でもよい。
【００４６】
なお、「コンテンツの再生処理を停止しました」（図６中のＡ）は、メッセージの一例であってこれに限定されない。
【００４７】
例えば、ユーザは、コンテンツの再生処理を停止したいときに、単に、テレビ１０１との接続状態を解除することによって、コンテンツの再生処理を停止させることができる。
よって、スマートフォン１は、ユーザに煩雑な操作を要求することなく、コンテンツの再生処理の停止を受け付けることができ、かつ、その旨の表示をディスプレイ２Ａにするので、再生処理が停止したことをユーザに通知することもできる。
【００４８】
つぎに、スマートフォン１の動作について、図７に示すフローチャートを参照しながら説明する。以下では、外部機器をテレビ１０１であるとして説明する。また、スマートフォン１からテレビ１０１に映画コンテンツを送信する使用形態を想定して説明する。
【００４９】
ステップＳＴ１において、制御部２２は、ケーブル１０２が外部インターフェイス１４に接続されているかどうかを検出する。ケーブル１０２が外部インターフェイス１４に接続されていると判断した場合（Ｙｅｓ）には、ステップＳＴ２に進み、ケーブル１０２が外部インターフェイス１４に接続されていないと判断した場合（Ｎｏ）には、ステップＳＴ１の工程を繰り返す。
【００５０】
ステップＳＴ２において、制御部２２は、ユーザによる操作に応じて、再生処理部２１にコンテンツの再生処理を行わせる。スマートフォン１は、再生処理された後のコンテンツを、ケーブル１０２を介してテレビ１０１に送信する。テレビ１０１は、送信されてきたコンテンツを表示する。
【００５１】
ステップＳＴ３において、制御部２２は、ガードタイムの設定確認を行う。ガードタイムは、接続状態が解除されてから再び接続状態になるまでの時間であって、再生処理部２１で再生処理されているコンテンツの種類に応じて異なる時間が設定されていてもよい。また、ガードタイムは、ユーザが指定できる構成でもよい。
【００５２】
ステップＳＴ４において、制御部２２は、ケーブル１０２が未接続になったかどうかを判断する。例えば、制御部２２は、ケーブル１０２が外部インターフェイス１４から外された場合や、ケーブル１０２がテレビ１０１側のインターフェイスから外された場合には、ケーブル１０２が未接続になったと判断する。ケーブル１０２が未接続になったと判断した場合（Ｙｅｓ）には、ステップＳＴ５に進み、ケーブル１０２が未接続になっていないと判断した場合（Ｎｏ）には、ステップＳＴ４の工程を繰り返す。
【００５３】
ステップＳＴ５において、制御部２２は、コンテンツの再生を中断（一時停止）するように再生処理部２１を制御する。スマートフォン１からテレビ１０１にコンテンツが供給されないため、テレビ１０１側では、「Ｎｏ  Ｓｉｇｎａｌ」等が表示される。
【００５４】
ステップＳＴ６において、制御部２２は、カウントを始める。
【００５５】
ステップＳＴ７において、制御部２２は、ステップＳＴ６の工程により始めたカウントがステップＳＴ３の工程で確認したガードタイムに達したかどうかを判断する。ガードタイムに達したと判断した場合（Ｙｅｓ）には、ステップＳＴ１０に進み、ガードタイムに達していないと判断した場合（Ｎｏ）には、ステップＳＴ８に進む。
【００５６】
ステップＳＴ８において、制御部２２は、ケーブル１０２の接続を検出したかどうかを判断する。ケーブル１０２の接続を検出したと判断した場合（Ｙｅｓ）には、ステップＳＴ９に進み、ケーブル１０２の接続を検出していないと判断した場合（Ｎｏ）には、ステップＳＴ７に戻る。
【００５７】
ステップＳＴ９において、制御部２２は、コンテンツの生成を再開するように再生処理部２１を制御する。なお、制御部２２は、ステップＳＴ４の工程により、再生処理を一時停止した箇所からコンテンツの再生処理を再開するように制御する。
【００５８】
ステップＳＴ１０において、制御部２２は、コンテンツの再生処理を停止した旨を通知する。なお、制御部２２は、コンテンツの再生処理を停止した旨のメッセージをディスプレイ２Ａに表示する以外でもよく、スピーカから所定の音データに基づく音声を出力してもよいし、所定の振動パターンで振動するようにバイブレータを駆動してもよいし、所定の発光パターンで発光するように発光部を制御してもよい。
【００５９】
ステップＳＴ１１において、制御部２２は、コンテンツの再生を停止するように再生処理部２１を制御する。再生処理部２１は、ステップＳＴ５の工程により、一時停止していた処理を完全に停止する。
【００６０】
このようにして、スマートフォン１は、テレビ１０１にコンテンツを送信しているときに、ユーザの誤操作により接続状態が解除されてしまっても、ガードタイムで設定した時間（所定時間）以内に再び接続状態にされることを条件として、解除により途切れた箇所からコンテンツの送信を再開するので、ユーザに続けてコンテンツの視聴を楽しませることができる。また、スマートフォン１は、テレビ１０１にコンテンツを送信しているときに、接続状態が解除され、ガードタイムで設定した時間以内に再び接続状態にされなかった場合には、コンテンツの再生処理を停止した旨をユーザに通知することができる。
【００６１】
また、本実施例では、主にスマートフォンの構成と動作について説明したが、これに限られず、各構成要素を備え、外部インターフェイス１４を利用して外部機器にコンテンツを送信しているときに、接続状態が解除されてコンテンツの送信を停止し、一定条件下にコンテンツの送信を再開するように制御する制御方法、及びプログラムとして構成されてもよい。
【００６２】
さらに、スマートフォンの機能を実現するためのプログラムをコンピュータで読み取り可能な記録媒体に記録して、この記録媒体に記録されたプログラムをコンピュータシステムに読み込ませ、実行することによって実現してもよい。
【００６３】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００６４】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【００６５】
また、本実施例では、外部インターフェイス（接続部）１４は、他の装置が接続される端子であるとして説明したが、本発明はこれに限定されず、外部インターフェイス（接続部）は、ブルートゥース（登録商標）、ＷｉＦｉ（登録商標）等の無線通信規格に準拠する無線インターフェイスであってもよい。したがって、本願発明の電子機器は、外部機器と無線通信規格に準拠する無線通信により通信可能に接続されていてもよい。
【符号の説明】
【００６６】
１  スマートフォン
２Ａ  ディスプレイ
１４  外部インターフェイス
２１  再生処理部
２２  制御部
【図１】
2014090265.tif 000003
【図２】
2014090265.tif 000004
【図３】
2014090265.tif 000005
【図４】
2014090265.tif 000006
【図５】
2014090265.tif 000007
【図６】
2014090265.tif 000008
【図７】
2014090265.tif 000009